【誤訳訂正書】
【提出日】平成28年6月27日(2016.6.27)
【誤訳訂正１】
【訂正対象書類名】明細書
【訂正対象項目名】全文
【訂正方法】変更
【訂正の内容】
【発明の詳細な説明】
【発明の名称】無線ピアツーピア（Ｐ２Ｐ）ネットワークにおけるＷＡＮインフラストラクチャリソースの再使用のための方法及び装置
【優先権主張】
【０００１】
（米国特許法１１９条の下の優先権主張）
本特許出願は、ここにおける参照によってここによって明示的に組み込まれ、ここでの譲受人に譲渡され、２００７年７月１０日に出願された「無線ピアツーピア（Ｐ２Ｐ）ネットワークにおける複数のアンテナを用いたインフラストラクチャ干渉除去のための方法及び装置(Method and Apparatus for Infrastructure Interference Cancellation with Multiple Antennas in a Wireless Peer-to-Peer (P2P) Network)」と題された米国仮出願番号６０／９４８、９７５号の優先権を主張する。
【分野】
【０００２】
様々な実施形態は、無線通信のための方法及び装置(apparatus)を対象としており、より具体的には、広域ネットワークと無線ピアツーピア(peer-to-peer)（Ｐ２Ｐ）との間の周波数スペクトラムの共有に関する方法及び装置を対象としている。
【背景】
【０００３】
ネットワークインフラストラクチャが存在しない無線ネットワーク、例えばアドホックネットワークでは、端末は、別のピア端末との通信リンクあるいは接続をセットアップする(set up)ために、ある課題を克服する必要がある。ある課題とは、端末の電源をただ入れるあるいは新しいエリアに移動するときに、端末は、２つの端末間のいずれの通信も開始できる前に近くに(in the vicinity)別の端末が存在するかどうかをまず最初に知らなくてはならないということである。
【０００４】
ネットワークインフラストラクチャの不足により、アドホック無線ネットワークにおける端末(terminals in an ad hoc wireless network)は、しばしば、トラフィック管理において援助することができる共通のタイミング基準(a common timing reference)を有していない可能性がある。よって、第１の端末が信号を送信しているときに第２の端末が受信モードにないということがあり得る、したがって、その送信された信号は、第２の端末が第１の端末の存在を検出する助けとならない。電力効率(Power efficiency)は、端末の電池寿命(battery life)に関して多大な影響を有しており、したがって、無線システムにおける別の重要な問題である。
【０００５】
さらに、複数の無線端末は、アドホックピアツーピア通信(ad hoc peer-to-peer communications)を確立するために周波数スペクトラム(frequency spectrum)を共有しながら環境において動作することができる。そのようなアドホックピアツーピア通信は、集中型コントローラによって、中心に管理されていないため、近くの無線端末内の複数のピアツーピア接続間の干渉(interference between multiple peer-to-peer connections)が問題である。すなわち、無線端末からの送信は、他の意図されていない受信機無線端末との干渉をもたらす可能性がある。
【０００６】
したがって、他の無線端末に対する不要な干渉を減らしながら、ピアツーピア通信に、共有された周波数スペクトラム(a shared frequency spectrum)を可能にする解決方法が必要とされている。
【発明の概要】
【０００７】
周波数スペクトラムを効率的に利用するために、ピアツーピアネットワークは、広域ネットワーク（ＷＡＮ）周波数スペクトラムと、ＷＡＮの時間周波数構造(a time-frequency structure)と、を共有し、時間周波数構造は、１セットのトーン及び記号(a set of tones and symbols)を含んでいる。第１の無線端末は、どのサブセットのトーン−記号(subsets of tone-symbols)がＷＡＮ及び／または他のピアツーピア接続のために使用されていないかを決定するために、ＷＡＮの時間周波数構造をモニタする(monitors)。そのあとで、第１の無線端末は、第２の無線端末とのピアツーピア接続のために、時間周波数構造内で、使用されないサブセットのトーン−記号を選択し、使用する。
【０００８】
一例で、第１の無線デバイスは、無線ピアツーピア通信ネットワーク(a wireless peer-to-peer communication network)内で第２の無線デバイスと通信しており、無線ピアツーピア通信ネットワークは、周波数スペクトラムを無線広域ネットワーク(a wireless wide area network)と共有する。時間周波数構造は、複数のサブセットのトーン記号(a plurality of subsets of tone-symbols)に分割されており(partitioned)、時間周波数構造は、複数の直交周波数分割多重化（ＯＦＤＭ）記号を含み、複数のＯＦＤＭ記号のそれぞれは、複数のトーンを含んでおり、トーン記号は、複数のＯＦＤＭ記号のうちの１つの中の１つのトーン(one tone in one of the plurality of OFDM symbol)である。そのあとで、第１の無線デバイスは、第１の複数のサブセットのトーン記号(a first plurality of the subsets of tone-symbols)を選択し、複数のサブセットのトーン記号のうちの選択されたサブセット(the selected subset of the plurality of subsets of tone-symbols)を使用して、第２のデバイスに対し信号を送信する。
【０００９】
時間周波数構造における各サブセットのトーン記号は、互いに、ディスジョイント(disjoint)であってもよく、独立していてもよく、あるいは、非オーバラップ(non-overlapping)していてもよい。各サブセットのトーン記号は、時間周波数構造においてトーン記号のタイル(a tile of tone-symbols)を含むことができ、トーン記号のタイルは、複数の連続ＯＦＤＭ記号のそれぞれにおける連続トーン(contiguous tones)から成る。選択された第１の複数のサブセットのトーン記号(The selected first plurality of the subsets of tone-symbols)は、送信信号は、無線広域ネットワークにおいて送信される第２の信号と、少なくとも部分的に非オーバラップするように、選択される。
【００１０】
第１のデバイスは、無線広域ネットワークにおいて送信される信号の電力を測定するために、共有された周波数スペクトラムをさらにモニタすることができる。無線広域ネットワークにおいて送信される測定された信号の電力がしきい値(threshold)より下である、１つまたは複数のサブセットのトーン記号が識別されることができる。結果、第２のデバイスに対し信号を送信するために使用される選択された第１の複数のサブセット(the selected first plurality of the subsets)は、識別されたサブセットから導出される(derived)ことができる。
【００１１】
無線広域ネットワークにおいて送信された第２の信号は、第２の複数のサブセットのトーン記号を使用して生成されることができる。第２の複数のサブセットは、第１のデバイスによって使用されるために選択される、サブセットのトーン記号のうちの選択された第１のサブセット(the selected first plurality of the subsets of tone-symbols)と少なくとも部分的に非オーバラップしている。
【００１２】
第１のデバイスは、第２のデバイスにおける信号回復を容易にするために、複数のサブセットのトーン記号のうちの選択された第１のサブセットにおいて(in the selected first subset of the plurality of subsets of tone-symbols)、１セットのパイロット変調記号をさらに送信することができ、なお、第１のデバイスによって使用される、選択されたサブセットのトーン記号のそれぞれは、パイロット変調記号を送信する少なくとも１つのトーン記号を含んでいる。一つのインプリメンテーションでは、第１のデバイスは、代わりに、第２のデバイスにおける信号回復を容易にするために、選択された第１の複数のサブセットのトーン記号において、１セットのトーン記号におけるいずれかの信号を送信することを抑止することができ、なお、第１のデバイスによって使用される選択されたサブセットのトーン記号のそれぞれは、いずれの信号も送信される予定ではない、少なくとも１つのトーン記号を含んでいる。
【００１３】
広域ネットワークで送信される第２の信号はまた、１セットのパイロット変調記号を含む。無線広域ネットワークの第２の信号によって使用される、サブセットのトーン記号のそれぞれは、パイロット変調記号を送信するために少なくとも１つのトーン記号を含むことができる。しかしながら、無線広域ネットワーク信号のパイロットによって使用されるトーン記号は、第２のデバイスによって送信される信号のパイロットによって使用されるトーン記号とは異なっている。
【００１４】
第１のデバイスはまた、無線広域ネットワークにおいて送信された信号の記号タイミング情報を導出するために、共有されたスペクトラムをモニタすることができる。それは、そのあとで、導出された記号タイミング情報の関数として送信タイミングを調節することができる。代替的に、第１のデバイスは、第２のデバイスから制御メッセージを受信することができ、なお、制御メッセージは、タイミング調節リクエスト(timing adjustment request)を含む。第１のデバイスは、そのあとで、タイミング調節リクエストの関数として送信タイミングを調節することができる。送信タイミングは、第１のデバイスに対して送信される第１の信号のＯＦＤＭ記号が無線広域ネットワークにおいて送信される信号のＯＦＤＭ記号とアラインされるように、調節される。
【００１５】
別の例では、第２の無線デバイスは、無線ピアツーピア通信ネットワーク内で第１の無線デバイスと通信することができる。合成信号(composite signal)は、ピアツーピア通信ネットワークと無線広域ネットワークとの間で共有された周波数スペクトラムにおいて、第２のデバイスによって受信されることができる。合成信号は、第１のデバイスから第２のデバイスへと送信された意図された信号(intended signal)と、広域ネットワークの第１の無線広域デバイスから第２の無線広域デバイスへと送信された干渉信号(interfering signal)と、を含むことができる。意図された信号は、複数のＯＦＤＭ記号を含んでもよく、また、複数のＯＦＤＭ記号のそれぞれは、複数のトーンを含んでいる。第２のデバイスは、そのあとで、意図された信号のトーン及びＯＦＤＭ記号によって決定された時間周波数構造に基づいて、受信された合成信号から変調記号を検索し(retrieve)、１つの変調記号は１つのトーン記号を検索されており、トーン記号は、複数のＯＦＤＭ記号のうちの１つの中の１つのトーンである。検索された変調記号は、複数のサブセットに分割されることができ、検索された変調記号サブセットのそれぞれは、時間周波数構造における対応サブセットのトーン記号において検索された変調記号に対応する(each of the retrieved modulation symbol subsets corresponding to the modulation symbols retrieved in a corresponding subset of tone-symbols in the time frequency structure)。第２のデバイスは、そのあとで、検索された変調記号サブセットのそれぞれの干渉強度(interference strength)を決定することができる。対応する干渉強度がしきい値を越える場合には、検索された変調記号サブセットが廃棄される。意図された信号は、そのあとで、残りの検索された変調記号サブセットから復号される。時間周波数構造における１サブセットのトーン記号は、検索された変調記号サブセットに対応することができ、互いにディスジョイント(disjoint)である。１サブセットのトーン記号は、検索された変調記号サブセットのうちの１つに対応することができ、また、時間周波数構造においてトーン記号のタイルを含み、なお、トーン記号のタイルは、複数の連続ＯＦＤＭ記号のそれぞれにおける連続トーンから成る。干渉信号はまた、複数のＯＦＤＭ記号を含んでおり、複数のＯＦＤＭ記号は複数のトーンを含んでおり、意図されたＯＦＤＭ記号の記号持続時間は、干渉信号のＯＦＤＭ記号の記号持続時間と実質的には同じであり、意図された信号のトーンスペーシングは、干渉信号のトーンスペーシングと実質的には同じである。
【００１６】
第２のデバイスは、検索された変調記号サブセットのそれぞれの中で、１セットのパイロット変調記号を識別するようにさらに構成されることができる。１セットのパイロット変調記号は、干渉信号のパイロットトーン記号構造に対応することができ、なお、干渉信号のパイロットトーン記号構造は、固定されており、第２のデバイスに知られている。そのあとで、第２のデバイスは、1セットのパイロット変調記号の受信電力を測定する。対応する検索された変調記号サブセットの干渉強度は、１セットのパイロット変調記号の測定された受信電力の関数として決定されることができる。
【００１７】
いくつかのインプリメンテーションでは、第２のデバイスは複数の受信アンテナを具備している。受信された合成信号の１セットの変調記号は、複数の受信アンテナのそれぞれから検索される。そのあとで、各セットの検索された変調記号は、複数のサブセットへと分割され、各サブセットは、対応する受信アンテナから時間周波数構造における対応サブセットのトーン記号において検索された変調記号に対応している(each subset corresponding to the modulation symbols retrieved in a corresponding subset of tone-symbols in the time frequency structure from the corresponding receive antenna)。各受信アンテナに対応している第１のセットのパイロット変調記号は識別され、なお、第１のセットのパイロット変調記号は、干渉信号のパイロットトーン記号構造に対応する。第２のデバイスは、そのあとで、複数の受信アンテナにおいて受信された第１のセットのパイロット変調記号の関数として、１セットの受信係数を計算し、それぞれの受信係数は、複数の受信アンテナのうちの１つに対応する。複数の受信アンテナに対応しているサブセットの検索された変調記号(The subsets of retrieved modulation symbols corresponding to the multiple receive antennas)は、計算された１セットの受信係数のそれぞれを対応するサブセットの検索された変調記号に適用することによって、組み合わせられる。組み合わせられた変調記号からの意図された信号は復号されることができる。
【００１８】
１セットの受信係数は、組み合わせられた変調記号において干渉信号の残りの電力を最小にするように計算されることができる。
【００１９】
第２のデバイスは、各受信アンテナに対応している第２のセットのパイロット変調記号を識別するようにさらに構成されることができ、なお、第２のセットのパイロット変調記号は、意図された信号のパイロットトーン記号構造に対応している。１セットの受信係数はまた、複数の受信アンテナにおいて受信された第２のセットのパイロット変調記号の関数としても決定されてもよく、また、１セットの受信係数は、組み合わせられた変調記号において信号対干渉比を最大化するように計算されることができる。
【００２０】
意図された信号のパイロット構造は、干渉信号のパイロット構造と異なっていてもよく、第１の及び第２のセットのパイロット変調記号は異なっている。
【００２１】
例えば、第１の及び第２のセットのパイロット変調記号は、ディスジョイント(disjoint)あるいは互いに独立していてもよい。
【００２２】
さらに、第２のデバイスはまた、干渉信号からタイミング同期化情報を導出し、そして、第１のデバイスに、導出されたタイミング同期化情報の関数として後続時間において送信タイミングを調節するようにリクエストすることができる。送信タイミングは、第１のデバイスからの意図された信号のＯＦＤＭ記号が干渉信号のＯＦＤＭ記号とアラインされるように調節されることをリクエストされることができる。
【００２３】
一例において、第１の無線広域デバイスは無線アクセス端末であってもよく、第２の無線広域デバイスは、基地局であってもよい。別の例では、第２の無線広域デバイスが無線アクセス端末であってもよく、第１の無線広域デバイスが基地局であってもよい。
【００２４】
ここにおいて説明される様々な特徴は、無線デバイス、無線デバイスに組み込まれる回路あるいはプロセッサ、及び／またはソフトウェア、内でインプリメントされることができる。
【図面の簡単な説明】
【００２５】
【図１】図１は、例えば広域ネットワークと共に、どのようにアドホックピアツーピアネットワーク(ad hoc peer-to-peer network)がインプリメントされることができるかを図示しているブロック図である。
【図２】図２は、ピアツーピア通信接続を備えた無線端末と無線広域ネットワーク接続を備えた無線デバイスが、それらが付近に同じ周波数スペクトラムを共有するので(as they share the same frequency spectrum in the vicinity)、互いに干渉することができる環境を図示しているブロック図である。
【図３】図３は、信号送信に関連づけられた時間周波数構造の一例を図示する。
【図４】図４は、アドホックピアツーピア通信ネットワークを用いて使用するために、インフラストラクチャネットワークパイロット構造を再使用するための、第１の無線デバイスにおいて操作可能な方法を図示する。
【図５】図５は、アドホックピアツーピア通信ネットワークを用いて使用するために、インフラストラクチャネットワークパイロット構造を再使用するための、第１の無線デバイスにおいて操作可能な方法を図示する。
【図６】図６は、無線ピアツーピア通信ネットワーク内で第１の無線デバイスと通信している第２の無線デバイスを操作するための方法を図示する。
【図７】図７は、どのように図６の方法が複数の受信アンテナを有している第１のデバイスにおいて動作することができるのかを図示する。
【図８】図８は、共有された周波数スペクトラム上の第２の無線通信端末とのピアツーピア通信を用いて、ＷＡＮのために時間周波数構造を再使用するように構成されることができる無線端末のブロック図である。
【図９】図９は、共有された周波数スペクトラム上の第２の無線端末とのピアツーピア通信を用いて、ＷＡＮのために時間周波数構造を再使用するように構成された無線送信機デバイスのブロック図である。
【図１０】図１０は、共有された周波数スペクトラム上の第１の無線端末とのピアツーピア通信を用いて、ＷＡＮのために時間周波数構造を再使用するように構成された無線受信機デバイスのブロック図である。
【詳細な説明】
【００２６】
様々な特徴、性質、及び利益は、同様の参照文字が全体を通して対応して識別する図面と併せて、下記で記載される詳細な説明から明らかとなるであろう。
【００２７】
下記の説明では、具体的な詳細が構成の十分な理解(a thorough understanding)を提供するために与えられている。しかしながら、その構成はこれらの具体的な詳細なしに実行されることができるということは当業者によって理解されるであろう。例えば、回路は、不必要な詳細で、構成を曖昧にしないために、ブロック図で示されることができる。他の例で、よく知られた回路、構造、及び技術は、構成を曖昧にしないために、詳細に示されている。
【００２８】
さらに、構成が、フローチャーチャート、フロー図、構造図、あるいはブロック図のように図示されるプロセスとして説明されることができるということに注意してください。フローチャートはシーケンシャルプロセス(sequential process)としてオペレーションを説明することができるが、オペレーションの多くは、平行にあるいは同時に実行されることができる。さらに、オペレーションの順序は、再配列されてもよい。そのオペレーションが完了するときに、プロセスは終了する(terminated)。プロセスは、方法、関数(function)、プロシージャ(procedure)、サブルーチン(subroutine)、サブプログラム等に対応することができる。プロセスが関数と対応するとき、その終了(termination)は、呼び出し関数(calling function)あるいは主関数(main function)に対する関数のリターン(return)と対応する。
【００２９】
１つまたは複数の例及び／または構成において、説明された関数は、ハードウェア、ソフトウェア、ファームウェア、あるいはそれらのいずれの組み合わせでインプリメントされる(implemented)ことができる。ソフトウェアでインプリメントされる場合には、関数は、コンピュータ可読メディア(computer-readable medium)上で１つまたは複数のインストラクション(instructions)あるいはコード(code)として、保存される、あるいは送信されることができる。コンピュータ可読メディアは、ある場所から別の場所へのコンピュータプログラムの転送を容易にするいずれのメディアをも含んでいる、コンピュータストレージメディアと通信メディアの両方を含んでいる。ストレージメディアは、汎用あるいは専用のコンピュータによってアクセスされることができるいずれの利用可能なメディアであってもよい。例として、また限定されないが、そのようなコンピュータ可読メディアは、ＲＡＭ、ＲＯＭ、ＥＥＰＲＯＭ、ＣＤ−ＲＯＭあるいは他の光学ディスクストレージ(optical disk storage)、磁気ディスクストレージ(magnetic disk storage)あるいは他の磁気ストレージデバイス(magnetic storage devices)、あるいは、任意の他の媒体も備えることができ、それらは、インストラクションあるいはデータ構造の形態において望まれるプログラムコード手段(desired program code means)を保存あるいは搬送するように使用されることができ、また、汎用あるいは専用のコンピュータ、あるいは、汎用あるいは専用のプロセッサ、によってアクセスされることができる。また、いずれの接続(connection)もコンピュータ可読メディア(computer-readable medium)と適切に名付けられる。例えば、ソフトウェアがウェブサイト、サーバ、あるいは、同軸ケーブル、光ファイバーケーブル、ツイストペア(twisted pair)、デジタル加入者ライン(digital subscriber line)（ＤＳＬ）、あるいは赤外線、無線、およびマイクロ波のような無線技術を使用している他の遠隔ソース、から送信される場合には、そのときには、同軸ケーブル、光ファイバーケーブル、ツイストペア、ＤＳＬ、あるいは赤外線、無線、およびマイクロ波のような無線技術は、媒体(medium)の定義に含まれている。ここに使用されているように、ディスク(disk)とディスク(disc)は、コンパクトディスク(compact disc)（ＣＤ）、レーザーディスク（登録商標）(laser disc)、光学ディスク(optical disc)、デジタル汎用ディスク (digital versatile disc)（ＤＶＤ）、フロッピー（登録商標）ディスク(disk)およびブルーレイディスク(blu-ray disc)を含んでおり、ディスク(disks)は、大抵、データを磁気で再生しているが、ディスク(discs)は、レーザーで光学的に再生する。上記の組み合わせもまた、コンピュータ可読メディアの範囲内に含まれるべきである。
【００３０】
さらに、ストレージメディアは、読み取り専用メモリ（ＲＯＭ）、ランダムアクセスメモリ（ＲＡＭ）、磁気ディスクストレージメディア、光学ストレージメディア(optical storage mediums)、フラッシュメモリデバイス、および／または、情報を保存するための他の機械可読メディアを含む、データを保存するための１つまたは複数のデバイスを表わしていてもよい。
【００３１】
さらに、構成は、ハードウェア、ソフトウェア、ファームウェア、ミドルウェア、マイクロコードあるいはそれらのいずれの組み合わせによってインプリメントされてもよい。ソフトウェア、ファームウェア、ミドルウェアあるいはマイクロコードにおいてインプリメントされるとき、必要なタスクを実行するプログラムコードあるいはコードセグメントは、ストレージメディアあるいは他のストレージ（単数または複数）のようなコンピュータ可読メディアにおいて保存されることができる。プロセッサは、必要なタスクを実行することができる。コードセグメントは、プロシージャ、関数、サブプログラム、プログラム、ルーチン、サブルーチン、モジュール、ソフトウェアパッケージ、クラス、あるいは、インストラクション、データ構造、または、プログラム文(program statements)のいずれの組み合わせ、を表わすことができる。コードセグメントは、情報、データ、引数(arguments)、パラメータ、あるいはメモリのコンテンツ(memory contents)を、受け渡すことおよび／または受信することによって、別のコードセグメントあるいはハードウェア回路に結合されることができる。情報、引数、パラメータ、データ、等は、メモリ共有、メッセージパッシング(message passing)、トークンパッシング(token passing)、ネットワーク伝送、等を含んでいるいずれの適切な手段を介して、受け渡され、転送され(forwarded)、あるいは送信されることができる。
【００３２】
概観(Overview)
１つの特徴は、別のネットワーク、例えば広域ネットワーク（ＷＡＮ）、について既存チャネル割り付けにわたって、アドホックピアツーピアネットワーク(ad hoc peer-to-peer network)を確立することを提供している。２つのネットワークによる周波数スペクトラムの共有は、２つのネットワーク上で通信するために、端末内の同じ送信機および／または受信機ハードウェアを再使用することを可能にし、その結果、ハードウェアおよび／または電力消費量を削減する。１つのインプリメンテーションによると、ピアツーピアネットワークはまた、ＷＡＮ用のアップリンク及び／またはダウンリンクシグナリング構造（例、パイロットトーン−記号構造、ＵＭＢタイル構造、等）を再使用することができる。ピアツーピアネットワークは、スペクトラムリソースを効率的に使用するために、ＷＡＮシグナリング構造と周波数スペクトラムを同時に使用することができる。ＷＡＮシグナリング構造のそのような使用は、ピアツーピアネットワークが集中的管理を有さない場合、特に便利であり、したがって、周波数スペクトラムを共有するデバイス内の干渉管理を容易にする。
【００３３】
アドホック通信システム(Ad Hoc Communication System)
アドホックピアツーピア無線ネットワークは、集中型ネットワークコントローラの介入なしに、２以上の端末の中で確立されることができる。いくつかの例では、無線ネットワークは、複数の無線端末間で共有される周波数スペクトラム内で動作することができる。
【００３４】
図１は、アドホックピアツーピアネットワークが、例えば広域ネットワークと共に、どのようにインプリメントされることができるかを図示しているブロック図である。いくつかの例において、ピアツーピアネットワークと広域ネットワークは、同じ周波数スペクトラムを共有することができる。他の例において、ピアツーピアネットワークは、異なる周波数スペクトラム、例えばピアツーピアネットワークの使用専用のスペクトラム、で動作される。通信システム１００は、１つまたは複数の無線端末ＷＴ−Ａ１０２、ＷＴ−Ｂ１０６、及びＷＴ−Ｃ１１２を備えることができる。３つの無線端末のみ、すなわちＷＴ−Ａ１０２、ＷＴ−Ｂ１０６、及びＷＴ−Ｃ１１２が図示されているが、通信システム１００は、いずれの数の無線端末を含むことができるということが理解されるべきである。無線端末ＷＴ−Ａ１０２、ＷＴ−Ｂ１０６、及びＷＴ−Ｃ１１２は、例えば、セルラ電話、スマートフォン、ラップトップ、ハンドヘルド通信デバイス、ハンドヘルドコンピューティングデバイス、衛星ラジオ、グローバルポジショニングシステム、ＰＤＡｓ、及び／または、無線通信システム１００上で通信するためのいずれの他の適切なデバイスであることができる。
【００３５】
一例にしたがって、通信システム１００は、互いに及び／または１つまたは複数の無線端末ＷＴ−Ａ  １０２、ＷＴ−Ｂ  １０６、及びＷＴ−Ｃ  １１２に対して、無線通信信号を受信し、送信し、繰り返すなどをする１つまたは複数のセクタ／セル／領域における、１つまたは複数のアクセスノードＡＮ−Ａ  １０４及びＡＮ−Ｂ  １１０（例、基地局、アクセスポイント、等）、及び／または、いずれの数の異なるアクセスノード（示されていない）を含むことができる広域ネットワーク（ＷＡＮ）をサポートすることができる。各アクセスノードＡＮ−Ａ１０４及びＡＮ−Ｂ１１０は、送信機チェインと受信機チェインとを備えることができ、それらのそれぞれは、当業者によって理解されるように、信号送信及び受信に関連づけられた複数のコンポーネント（例、プロセッサ、モジュレータ、マルチプレクサ、デモジュレータ、デマルチプレクサ、アンテナ、・・・）を代わりに備えることができる。オプション特徴によると、ＷＡＮを通じて通信するとき、無線端末（単数または複数）は、通信システム１００によってサポートされる広域インフラストラクチャネットワークを介して通信するとき、アクセスノードに信号を送信する、及び／または、アクセスノードから信号を受信することができる。例えば、無線端末ＷＴ−Ａ  １０２及びＷＴ−Ｂ  １０６は、アクセスノードＡＮ−Ａ  １０４を介してネットワークと通信することができるが、無線端末ＷＴ−Ｃ  １１２は、異なるアクセスノードＡＮ−Ｂ１１０と通信することができる。
【００３６】
無線端末は、さらにローカルエリアのピアツーピア（Ｐ２Ｐ）ネットワーク（例えばアドホックネットワーク）を介して、互いに直接に通信することができる。ピアツーピア通信は、無線端末間の信号を直接転送することによって、実現されることができる。したがって、信号は、アクセスノード（例、基地局）、あるいは、集中的に管理されたネットワークを通じて、トラバースする必要はない。ピアツーピアネットワークは、短距離で、高データレート通信（例、家庭、オフィス、等内で、タイプセッティング（type setting））を提供することができる。例えば、無線端末ＷＴ−Ａ １０２及びＷＴ−Ｂ １０６は、第１のピアツーピアネットワーク１０８を確立することができ、無線端末ＷＴ−Ｂ １０６及びＷＴ−Ｃ １１２はまた、第２のピアツーピアネットワーク１１４を確立することができる。
【００３７】
さらに、各ピアツーピアネットワーク接続１０８および１１４は、同様な地理エリア内（例、互いの範囲内）で無線端末を含むことができる。しかしながら、無線端末は、共通ピアツーピアネットワークに含まれるように同じセクタ及び／またはセルに関連づけられる必要はないということは、理解されるべきである。さらに、ピアツーピアネットワークは、１つのピアツーピアネットワークが別のより大きなピアツーピアネットワークとオーバラップする、あるいは、別のより大きなピアツーピアネットワークに含まれる、領域内で起こりうるように、オーバラップすることができる。さらに、無線端末は、ピアツーピアネットワークによってサポートされなくてもよい。無線端末は、そのようなネットワークがオーバラップする場合には（例、同時にあるいは連続的に）、広域ネットワーク及び／またはピアツーピアネットワークを利用することができる。さらに、無線端末は、そのようなネットワークを、シームレスに(seamlessly)切り替えてもよいし、あるいは、同時にレバレッジ(leverage)してもよい。したがって、送信及び／または受信しているかどうかの無線端末は(wireless terminals whether transmitting and/or receiving)、通信を最適化にするために１つまたは複数のネットワークを選択的に利用することができる。
【００３８】
無線端末間のピアツーピア通信は同時(synchronous)であってもよい。例えば、ＷＴ−Ａ １０２及びＷＴ−Ｂ １０６は、別個の機能(distinct functions)のパフォーマンスを同期化するために共通のクロック基準を使用することができる。無線端末ＷＴ−Ａ  １０２およびＷＴ−Ｂ  １０６は、アクセスノードＡＮ−Ａ  １０４からタイミング信号を得ることができる。無線端末ＷＴ−Ａ  １０２およびＷＴ−Ｂ  １０６はまた、他のソース、例えば、ＧＰＳ衛星あるいはテレビ放送局、からタイミング信号を得ることができる。一例によれば、時間は、ピアディスカバリ(peer discovery)、ページング(paging)、及びトラフィック(traffic)のような機能について、ピアツーピアネットワークにおいて、意味をもって分割されることができる。さらに、各ピアツーピアネットワークはそれ自体の時間を設定することができるということが企図される。
【００３９】
ピアツーピア接続におけるトラフィックの通信が起こることができる前に、２つのピア無線端末は、互いを検出し、識別することができる。このピア間の相互検出及び識別が行なわれるプロセスは、ピアディスカバリ(peer discovery)と呼ばれることができる。通信システム１００は、ピアツーピア通信を確立することを望んで、ピア(peers）（端末）を提供することによってピアディスカバリをサポートし、周期的にショートメッセージを送信し、そして、他の送信にリスンする(listen)ことができる。例えば、無線端末ＷＴ−Ａ
１０２（例、送信無線端末）は、他の無線端末（単数または複数）ＷＴ−Ｂ  １０６（例、受信無線端末（単数または複数））に対し、信号を周期的にブロードキャストあるいは送信することができる。このことは、受信無線端末ＷＴ−Ｂ  １０６が送信無線端末ＷＴ−Ａ  １０２の近くにあるとき、受信無線端末ＷＴ−Ｂ  １０６が送信無線端末ＷＴ−Ａ  １０２を識別することを可能にする。識別した後で、アクティブなピアツーピア接続１０８が確立されることができる。
【００４０】
ピアディスカバリのための送信は、ピアディスカバリインターバル(peer discovery intervals)と呼ばれる特定時間の間、周期的に生じてもよく、そのタイミングは、プロトコルによってあらかじめ決定されてもよく、無線端末ＷＴ−Ａ  １０２及びＷＴ-Ｂ  １０６に知られていてもよい。無線端末ＷＴ−Ａ１０２およびＷＴ−Ｂ１０６は、それらを識別するためにそれぞれの信号をそれぞれ送信することができる。例えば、各端末ＷＴ−Ａ
１０２およびＷＴ−Ｂ  １０６は、ピアディスカバリインターバルの部分の間に信号を送信することができる。さらに、各無線端末、ＷＴ−Ａ  １０２及びＷＴ−Ｂ  １０６は、ピアディスカバリインターバルの残りにおいて、他の無線端末によって潜在的に送信された信号をモニタすることができる。一例によると、信号はビーコン信号であってもよい。別の図で、ピアディスカバリインターバルは、多数の記号（例、直交周波数分割多重化（ＯＦＤＭ）記号）を含むことができる。各無線端末ＷＴ−Ａ  １０２は、その無線端末ＷＴ−Ａ  １０２による送信のためにピアディスカバリインターバルにおいて少なくとも１つの記号を選択することができる。さらに、各無線端末ＷＴ−Ａ  １０２は、その無線端末ＷＴ−Ａ  １０２によって選択される記号における１つのトーンにおいて対応信号を送信することができる。
【００４１】
ローカルエリアピアツーピアネットワーク及び広域ネットワークは、通信を実施するために共通の無線スペクトラムを共有することができ、したがって、帯域幅は、異なるタイプのネットワークを介してデータを転送するために共有されることができる。例えば、ピアツーピアネットワーク及び広域ネットワークは両方とも、ライセンスされたスペクトラム(licensed spectrum)上で通信することができる。しかしながら、ピアツーピア通信は、広域ネットワークインフラストラクチャを利用する必要はない。無線端末が互いを発見した後、それらは接続を確立し始めてもよい。いくつかの例において、接続は２つの無線端末をつないでおり、例えば図１において接続１０８は、無線端末ＷＴ−Ａ及びＷＴ−Ｂをつないでいる。端末ＷＴ−Ａ１０２は、そのあとで、接続１０８を使用して端末ＷＴ−Ｂ１０６に対しトラフィックを送信することができる。端末ＷＴ−Ｂ  １０６はまた、接続１０８を使用して、端末ＷＴ−Ａ１０２に対しトラフィックを送信することができる。
【００４２】
図２は、ピアツーピア通信接続を備えた無線端末と無線広域ネットワーク接続を備えた無線デバイスは、近くで(in the vicinity)それらが同じ周波数スペクトラムを共有するので、互いに干渉することができる環境を図示しているブロック図である。図で示される例において、ＷＴ Ａ２０２は、ＷＴ Ｂ ２０４に対してトラフィック信号を送信することを意図しているが、同じスペクトラムで、ＷＴ Ｃ２０６は、ＷＴ Ｄ２０８に対しトラフィック信号を送信することを意図する。端末ＷＴ Ａ２０２及びＷＴ Ｂ ２０４は、ピアツーピア接続を有しているが、ＷＴ Ｃ２０６及びＷＴ Ｄ２０８は、無線ＷＡＮ接続を有する。共有されたスペクトラムがダウンリンクである場合、ＷＴ Ｃ２０６は実際に無線ＷＡＮ基地局を表わし、ＷＴ Ｄ２０８は、無線ＷＡＮ端末を表わす。共有されたスペクトラムがアップリンクである場合、ＷＴ Ｃ２０６は、実際に無線ＷＡＮ端末を表わしており、また、ＷＴ Ｄ ２０８は実際に無線ＷＡＮ基地局を表わす。いずれの場合も、ＷＴ Ａ２０２によって送信されたピアツーピア信号は、ＷＴ Ｄ２０８に到達し、干渉となる。ＷＴ Ｃ２０６によって送信された無線ＷＡＮ信号は、ＷＴ Ｂ ２０４で到達し、干渉になる。本発明は、ＷＴ Ａ ２０２及びＷＴ Ｂ ２０４がピアツーピア接続と無線ＷＡＮ接続との間の干渉をよりよく管理することを手助けする。
【００４３】
アドホックピアツーピア通信システムでは、複数の通信(multiple communications)は、空間と時間の両方で共有される周波数スペクトラムリソースを使用して起こりうる。アドホックピアツーピアネットワークの配信される性質(distributed nature)のために、無線端末間の送信に使用されるチャネル割当て（例、スロット）を制御することは必ずしも可能ではないかもしれない。中央権力(central authority)が存在しない無線ネットワークでは、干渉回避及び／または管理は、ネットワークパフォーマンスの効率を維持する重要な特徴(a key feature)である。
【００４４】
時間周波数構造再使用（Time-Frequency Structure Reuse）
図３は、信号送信に関連づけられた時間周波数構造３００の一例を図示する。例示的な信号はＯＦＤＭ信号であってもよい。時間周波数構造３００は、ピアツーピアネットワーク上でトラフィック信号（例、パイロット、接続識別子、等）を送信し及び／または受信するために使用されることができる。時間周波数構造３００は、共有された周波数スペクトラム上で、ＷＡＮとピアツーピアネットワークとの間で同時に使用され、あるいは、共有されることができる。領域内で動作しているデバイスがおそらくＷＡＮの一部であるため、それらは、時間周波数構造３００と同期化情報を知るであろう。Ｘ軸は、時間を表しており、そしてＮ個の記号（例、Ｎはいずれの整数であってもよい）含むことができ、Ｙ軸は周波数を表わし、Ｍ個のトーン（例、Ｍはいずれの整数であってもよい）を含むことができる。したがって、時間周波数構造３００は、１セットのトーンおよび記号を含む。一例では、１サブセットのトーン記号(a subset of tone-symbols)は、構造３００内で「タイル(tile)」と呼ばれることができる。１サブセットのトーン記号は、１つまたは複数のトーンと１つまたは複数の記号を備えることができる。例えば、トーン記号のタイルは、複数の連続ＯＦＤＭ記号のそれぞれにおける連続トーンから成ることができる。
【００４５】
ピアツーピア接続を介して通信する送信機および／または受信機デバイスは、どのトーン記号あるいはトーン記号サブセットがＷＡＮ及び／または他のピアツーピア接続によって使用されるかを決定するために、時間周波数構造３００のブロードキャストをモニタすることができる。この例において、複数のサブセットのトーン記号ＷＡＮｓｉｇｎａｌｓは、ＷＡＮシグナリングのための無線広域ネットワークによって使用されている。各サブセットのトーン記号ＷＡＮｓｉｇｎａｌｓは、パイロット変調記号のために少なくとも１つのトーン記号を含むことができる。一例では、トーン記号の１つまたは複数のサブセットの電力がしきい値より下であるかどうかを決定するために測定され、それによって、どのサブセットが使用されていないかを決定する。
【００４６】
ピアツーピア送信機デバイスは、そのあとで、使用されていない、あるいは、ＷＡＮによって軽く使用されている、複数のサブセットのトーン記号を選択することができる。選択されたサブセットのトーン記号のそれぞれは、パイロット変調記号を送信するために少なくとも１つのトーン記号を含むことができる。例えば、送信機及び／または受信機デバイスは、ＷＡＮによって使用されていないので、使用するためにタイルＰ１を選択することができる。別の例では、送信機は、ピアツーピア接続の受信機に対しトラフィックを送信するために、複数のタイルあるいはサブセットのトーン記号Ｐ１、Ｐ２、及びＰ３を選択することができる。
【００４７】
別の実施形態では、ピアツーピア送信機デバイスは、占有されたタイルあるいはサブセットのトーン記号がＷＡＮによって使用されるかどうかを確認することなく、ピアツーピア接続の識別子、すなわち送受信機デバイス、によって決定される複数のタイルあるいはサブセットのトーン記号においてトラフィック信号を送信する。複数のタイルあるいはサブセットは、それらが、無線ＷＡＮ信号によって使用されるトーン記号と完全にはオーバラップしないように構築される。例えば、無線ＷＡＮ信号は、「ＷＡＮｓｉｇｎａｌｓ」とラベル付けされた２つの黒いタイルを占有していると仮定する。送信機デバイスは、接続の識別子によって決定されるように、与えられたトラフィックスロットにおいてサブセットＰ１、Ｐ２、及びＰ３上でトラフィック信号を送信することができる。あるトラフィックスロットから別のトラフィックスロットまで、送信機デバイスは、異なる複数のサブセットを使用することができる。１つのトラフィックスロットでは、Ｐ１、Ｐ２、及びＰ３は、「ＷＡＮｓｉｇｎａｌｓ」と完全に非オーバラップしているが、異なるトラフィックスロットにおいて、Ｐ１、Ｐ２及びＰ３のいくつかは、「ＷＡＮｓｉｇｎａｌｓ」のいくつかとオーバラップすることができる。本発明によると、ピアツーピア接続によって使用されるタイル構造は、無線ＷＡＮ接続によって使用されるものと同じであり、すなわち、ピアツーピア接続と無線ＷＡＮ接続の両方は、どのように時間周波数グリッドがトーン記号のタイルあるいはサブセットに分割されるかという同じ観念を有する。しかしながら、ピアツーピア送信機によって使用されるべき複数のサブセットは、与えられたトラフィックスロットにおいて無線ＷＡＮ送信機によって使用されるべき複数のサブセットと完全にはオーバラップしない。したがって、ピアツーピア信号は、無線ＷＡＮ信号と完全にはオーバラップしない。
【００４８】
一例では、選択されたサブセットのトーン記号Ｐ１、Ｐ２、及びＰ３のそれぞれは、送信機デバイス及び／または受信機デバイスに関連づけられたパイロットを含む。さらに、選択されたサブセットのトーン記号Ｐ１、Ｐ２、及びＰ３のそれぞれはまた、送信機デバイス及び／または受信機デバイスに関連づけられたヌルパイロットを含む。ヌルパイロットは、時間周波数グリッド３００におけるトーン記号である。送信機は、ヌルパイロットにおいていずれの信号も送信せず、受信機は、ヌルパイロットのロケーションを知っている。受信機は、対応タイルにおいて干渉電力を推定するためにヌルパイロットを使用することができる。実際に、ヌルパイロットにおいて検出されたエネルギーは、無線ＷＡＮ信号によってほとんど寄与されてもよい。ヌルパイロットにおいて検出されたかなりの量のエネルギーがある場合、受信機は、対応タイルは信用がない(not reliably)と考えられ、復号プロセスにおいてそれを使用することをやめることができる。これは、Ｐ３におけるピアツーピア信号が無線ＷＡＮ信号と衝突するように、「ＷＡＮｓｉｇｎａｌｓ」のうちの１つをＰ３タイルがオーバラップするシナリオであることができる。さらに、受信機が複数の受信アンテナを備えている場合には、受信機は、それらのアンテナから受信された信号を組み合わせるために、１セットの組み合わせ係数を生成することができる。１セットの組み合わせ係数は、干渉無線ＷＡＮ信号からの結果として生じるエネルギーを最小化するために、望ましいピアツーピア信号から結果として生じるエネルギーを最大化するために、あるいは、信号対干渉比を最大化するために、決定されることができる。１セットの組み合わせ係数の決定は、対応タイルにおいてパイロット及びヌルパイロットに関する測定に基づいている。
【００４９】
許可された帯域幅で展開されたピアツーピア通信ネットワークは、よりよいサービス品質制御という利点を有する。しかしながら、許可された帯域幅は、高価である可能性があり、したがって、ピアツーピアネットワーク展開のために、インフラストラクチャセルラ帯域幅（つまり周波数スペクトラム）を再使用することは望ましいかもしない。一方で、帯域幅再使用の結果は、ピアツーピアネットワークがインフラストラクチャ通信に対する干渉を制御することができること、あるいは他方では、ピアツーピア通信は、インフラストラクチャセルラネットワーク（例、ＷＡＮ）からの干渉を体験することができること、である。したがって、ピアツーピアネットワークにおけるモバイル(mobiles)は、インフラストラクチャネットワーク（ＷＡＮ）からある保護(protection)を達成し、信頼のある通信を確立するために、干渉緩和プロトコルを実行する。
【００５０】
１つの特徴によると、ピアツーピアネットワークにおいて動作する無線デバイスあるいは移動局は、複数のアンテナを使用してインフラストラクチャからの干渉を取り消すあるいは緩和することができ、無線ピアツーピア通信ネットワークは、インフラストラクチャセルラネットワークと帯域幅を共有する。１つのインプリメンテーションにおいては、第１の空間シグネチャは広域ネットワーク（ＷＡＮ）から測定され、第２の空間シグネチャは、ピアツーピアネットワークから測定される。干渉緩和は、測定された空間シグネチャに基づいて、ネットワーク間で実行される。
【００５１】
別の態様によれば、インフラストラクチャネットワークから干渉を削除するおよび／または緩和することは、複数のアンテナ技術を使用することによって達成されることができる。
【００５２】
図４は、アドホックピアツーピア通信ネットワークと一緒に使用するために、インフラストラクチャネットワークパイロット構造を再使用するための第１の無線デバイスにおいて操作可能な方法を図示する。この例において、周波数スペクトラムは、ＷＡＮとピアツーピアネットワークとの間で共有される  ４０２。図３に図示されたそのような時間周波数構造は、複数のトーン記号に分割されることができる  ４０４。第１のデバイスは、時間周波数グリッド構造を生成するために、無線ＷＡＮから信号をモニタする必要があるかもしれない。例えば、第１のデバイスは、無線ＷＡＮの基地局からブロードキャストパイロットあるいは同期化チャネルを受信することができ、そのあとで、受信されたブロードキャスト信号との記号時間及び周波数同期化を導出する。第１のデバイスは、そのあとで、ＷＡＮ及び他のピアツーピア接続によってどのトーン記号が使用されているかを決定するために、共有された周波数スペクトラムをモニタする  ４０６。１つまたは複数の使用されていないトーン記号は、そのあとで、第２のデバイスとのピアツーピア接続を用いた使用のために第１のデバイスによって選択される  ４０８。第１の信号は、第２のデバイスとのピアツーピア通信を容易にするために、選択された１つまたは複数のトーン記号を使用して、第１のデバイスによって、第２のデバイスに対して送信される  ４１０。そのような第１の信号は、例えば、パイロットあるいは送信リクエストであってもよい。後続時間期間において、第１のデバイスは、第２のデバイスから、選択された１つまたは複数のトーン記号上で第２の信号を受信することができる  ４１２。例えば、第２の信号は、第２のパイロットあるいは送信レスポンスであってもよい。さらに、第１のデバイスはまた、第２のデバイスとのピアツーピア接続のために、送信タイミング情報を得ることができる  ４１４（例えば、ＷＡＮによって使用されるパイロットから、あるいは第２のデバイスからのメッセージングから）。そのような送信タイミング情報は、第１のデバイスを第２のデバイスで同期するように、また、ＷＡＮのそれらでそれらの送信をアラインするように、役立つことができる。
【００５３】
図５は、アドホックピアツーピア通信ネットワークと一緒に使用するためにインフラストラクチャネットワークパイロット構造を再使用するための、第１の無線デバイスにおいて操作可能な方法を図示する。この例においては、無線ピアツーピア通信ネットワークは、周波数スペクトラムをインフラストラクチャネットワーク（例、無線広域ネットワーク（ＷＡＮ））と一緒に共有する。第１のデバイスは、第２のデバイスとのピアツーピア接続を確立あるいは維持しようとする。時間周波数構造は、複数のサブセットのトーン記号に分割され、時間周波数構造は、複数のＯＦＤＭ記号を含んでおり、複数のＯＦＤＭ記号のそれぞれは、複数のトーンを含んでおり、トーン記号は、複数のＯＦＤＭ記号のうちの１つの中の１つのトーンである  ５０２。共有されたスペクトラムは、無線広域ネットワークにおいて送信された信号の電力を測定するために、第１のデバイスによってモニタされることができる  ５０４。無線広域ネットワークにおいて送信される測定された信号の電力がしきい値より下である、１つまたは複数のサブセットのトーン記号は識別されることができる  ５０６。すなわち、第１のデバイスが、電力レベルがしきい値より下であることを検出する場合には、そのようなトーン記号が、ＷＡＮあるいは他のピアツーピア接続により使用されていないということを仮定する(assumes)。
【００５４】
識別されたサブセットのトーン記号のうち１つまたは複数は、第２のデバイスに対し信号を送信するように選択されることができる  ５０８。時間周波数構造における各サブセットのトーン記号は互いに独立している。一例では、各サブセットのトーン記号は、時間周波数構造においてトーン記号のタイルを含むことができ、トーン記号のタイルは、複数の連続ＯＦＤＭ記号のそれぞれにおける連続トーンから成ることができる。
【００５５】
特に、第１の複数のサブセットのトーン記号は、第２のデバイスに対する送信のために選択されることができる  ５１０。例えば、第２の信号が、第２の複数のサブセットのトーン記号を使用して無線広域ネットワーク（ＷＡＮ）で送信される場合には、選択された第１の複数のサブセットのトーン記号は、送信された第１の信号が第２の信号と完全にはオーバラップしないように選択されることができる。すなわち、選択された第１の複数のサブセットのトーン記号は、そのピアツーピア接続がＷＡＮによって使用される第２のサブセットのトーン記号と完全にはオーバラップしない（あるいは、おそらくまったくオーバラップしない）ため、第１のデバイスによって使用されるために選択される。
【００５６】
信号（例、パイロット信号、接続リクエスト、等）は、複数のサブセットのトーン記号のうちの選択されたサブセット（例、第１のサブセット）を使用して、第２のデバイスに対して送信されることができる  ５１２。例えば、第１のセットのパイロット変調記号は、第２のデバイスにおける信号回復を容易にするために、選択された第１の複数のサブセットのトーン記号において第１のデバイスによって送信されることができ、第１のデバイスによって使用される選択されたサブセットのトーン記号のそれぞれは、パイロット変調記号を送信するために少なくとも１つのトーン記号を含んでいる  ５１４。ある特別なタイプのパイロットは、ヌルパイロットである。第１のデバイスは、各タイルあるいはサブセットにおいて、１ヌルパイロットをさらに選択することができる。ヌルパイロットは、第１のデバイスがいかなるエネルギーも送信することができない、トーン記号であってもよい。結果として、第１のデバイスは、第２のデバイスにおける信号回復を容易にするために、選択された第１の複数のサブセットのトーン記号において１セットのトーン記号のいずれかの信号を送信することを抑止することができ、第１のデバイスによって使用される選択されたサブセットのトーン記号のそれぞれは、信号が送信される予定ではない、少なくとも１つのトーン記号を含んでいる。
【００５７】
あるいは、第１のデバイスは、タイルにおけるいずれの他のトーン記号よりも、ヌルパイロットにおいてずっと少ないエネルギー（例えば１０パーセントより低い）を送信することができる。また別の実施形態においては、第１のデバイスは、パイロットトーン記号において、既知の信号の電力及び位相を送信することができ、その場合には、パイロットは、ヌルパイロットではなく、通常のパイロットである。パイロットにおける電力及び位相を知って、第２のデバイス（受信機）は、パイロットにおいて経験される干渉を、例えばチャネルを最初に推定し、チャネル推定誤りを計算することによって、測定することができるであろう。無線広域ネットワークで送信される第２の信号は、第２のセットのパイロット変調記号を含んでおり、無線広域ネットワーク信号によって使用される各サブセットのトーン記号は、第２のセットのパイロット変調記号を送信するために少なくとも１つのトーン記号を含んでおり、また、無線広域ネットワーク信号のパイロットによって使用されるトーン記号は、第２のデバイスによって送信される信号のパイロットによって使用されるトーン記号とは異なっている。
【００５８】
第１のデバイスはまた、第２のデバイスとのピアツーピア接続のためにタイミング情報を得ることができる。第１のインプリメンテーションでは、第１のデバイスは、無線広域ネットワーク（ＷＡＮ）において送信された信号の記号タイミング情報を導出するために共有された周波数スペクトラムをモニタすることができる  ５１６。そのあとで、第１のデバイスは、導出された記号タイミング情報の関数として送信タイミングを調節することができる  ５１８。この例では、第２のデバイスはまたタイミング情報を得るために無線広域ネットワークにおいて送信される信号を使用するということが想定されている。
【００５９】
第２のインプリメンテーションでは、制御メッセージは、第２のデバイスから受信され、制御メッセージは、タイミング調節リクエストを含んでいる  ５２０。第１のデバイスは、そのあとで、タイミング調節リクエストの関数としてその送信タイミングを調節する
５２２。
【００６０】
送信タイミングは、第２のデバイスに対して送信された信号のＯＦＤＭ記号が無線広域ネットワークにおいて送信された信号のＯＦＤＭ記号とアラインされるように調節されることができる。
【００６１】
図６は、無線ピアツーピア通信ネットワーク内で、第１の無線デバイスと通信する第２の無線デバイスを操作するための方法を図示する。第２のデバイスは、ピアツーピア通信ネットワークと無線広域ネットワークとの間で共有されたスペクトラムにおいて合成信号を受信することができ、合成信号は、第１のデバイスから第２のデバイスへと送信される意図された信号と、広域ネットワークの第１の無線広域デバイスから第２の無線広域デバイスへと送信される干渉信号と、を含んでおり、意図された信号は、複数のＯＦＤＭを含んでおり、複数のＯＦＤＭ記号のそれぞれは、複数のトーンを含んでいる ６０２。一例において、第１の無線広域デバイスは、無線アクセス端末であってもよく、第２の無線広域デバイスは、基地局である。別の例では、第２の無線広域デバイスが無線アクセス端末であってもよく、第１の無線広域デバイスが基地局であってもよい。
【００６２】
第２のデバイスは、そのあとで、意図された信号のトーン及びＯＦＤＭ記号によって決定される時間周波数構造に基づいて、受信された合成信号から変調記号を検索することができ、１つの変調記号は、１つのトーン記号を検索され、トーン記号は、複数のＯＦＤＭ記号のうちの１つの中の１つのトーンである ６０４。
【００６３】
検索された変調記号は、そのあとで、複数のサブセットに分割され、検索された変調記号サブセットのそれぞれは、時間周波数構造における対応サブセットのトーン記号において検索された変調記号に対応する ６０６。検索された変調記号サブセットに対応している時間周波数構造におけるサブセットのトーン記号(The subset of tone-symbols in the time frequency structure corresponding to the retrieved modulation symbol subsets)は、互いに独立しているあるいは別個であることができる。検索された変調記号サブセットのうちの１つに対応している１サブセットのトーン記号は、時間周波数構造においてトーン記号のタイルを含むことができ、トーン記号のタイルは、複数の連続ＯＦＤＭ記号のそれぞれにおける連続トーンから成る。
【００６４】
干渉信号はまた、複数のＯＦＤＭ記号を含んでおり、複数のＯＦＤＭ記号のそれぞれは複数のトーンを含んでおり、意図された信号のＯＦＤＭ記号の記号持続時間は、干渉信号のＯＦＤＭ記号の記号持続時間と実質的に同じであり、意図された信号のトーンスペーシングは、干渉信号のトーンスペーシングと実質的に同じである。
【００６５】
干渉強度は、検索された変調記号サブセットのそれぞれについて決定される ６０８。そうするために、第２のデバイスは、ロケーションが接続の識別子に基づいている時間周波数グリッド、におけるトーン記号であるヌルパイロットを識別する必要があるかもしれない。第２のデバイスは、第１のデバイスがヌルパイロットにおいて信号エネルギーを送らないということを知っている。したがって、ヌルパイロットで測定されたエネルギーは干渉を表わす。第２のデバイスは、各トーン記号サブセットについて、個別に、ヌルパイロットを測定する必要があるかもしれない。干渉電力の測定は、あるサブセットから別のサブセットまで、独立して行われることができる。例えば、あるサブセットは、無線ＷＡＮ信号からの過度の干渉を経験することができるが、別のサブセットは、ほとんど干渉をみないであろう。１セットのパイロット変調記号は、検索された変調記号サブセットのそれぞれの中で識別されることができ、１セットのパイロット変調記号は干渉信号のパイロットトーン記号構造に対応しており、干渉信号のパイロットトーン記号構造は、固定されており、第２のデバイスに知られている ６０８。１セットのパイロット変調記号の受信電力は、測定される ６１０。対応する検索された変調記号サブセットの干渉強度は、１セットのパイロット変調記号の測定された受信電力の関数として決定されることができる６１２。
【００６６】
第２のデバイスは、その対応干渉強度がしきい値を超える場合には、検索された変調記号サブセットを廃棄する  ６１４。そのあとで、意図された信号は、残りの検索された変調記号サブセットから、復号される  ６１６。
【００６７】
第２のデバイスは、干渉信号からタイミング同期情報を導出することができる  ６１８。例えば、そのような干渉信号は、タイミングを導出するために、第１の及び第２のデバイスの両方によって使用されることができるＷＡＮパイロットであってもよい。このことは、第２のデバイスが、ＷＡＮについての送信でその送信または第１のデバイスからの受信をアラインすることを可能にする。第２のデバイスは、導出されたタイミング同期化情報の関数として後続時間において送信タイミングを調節するために、第１のデバイスに対しリクエストを送信することができる  ６２０。送信タイミングは、第１のデバイスからの意図された信号のＯＦＤＭ記号が干渉信号のＯＦＤＭ記号とアラインされるように調節されることをリクエストされることができる。
【００６８】
図７は、図６の方法が複数の受信アンテナを有している第１のデバイスにおいてどのように動作することができるかを図示している。受信された合成信号のうちの１セットの変調記号は、複数の受信アンテナのそれぞれから検索される７０２。各セットの検索された変調記号は、複数のサブセットに分割されており、各サブセットは、対応する受信アンテナから時間周波数構造における対応サブセットのトーン記号において検索された変調記号に対応する  ７０４。第２のデバイスは、各受信アンテナに対応している第１のセットのパイロット変調記号を識別することができ、第１のセットのパイロット変調記号は、干渉信号のパイロットトーン記号構造に対応する  ７０６。１セットの受信係数は、複数の受信アンテナにおいて受信された第１のセットのパイロット変調記号の関数として計算されており、それぞれの受信係数は、複数の受信アンテナのうちの１つに対応している  ７０８。例えば、１セットの受信係数は、組み合わせられた変調記号において干渉信号の残りの電力を最小にするように計算されることができる。
【００６９】
各受信アンテナに対応している第２のセットのパイロット変調記号は識別されることができ、第２のセットのパイロット変調記号は、意図された信号のパイロットトーン記号構造に対応する  ７１０。第１のセットの受信係数はまた、複数の受信アンテナにおいて受信される第２のセットのパイロット変調記号の関数としても決定されることができ、１セットの受信係数は、組み合わせられた変調記号において信号対干渉比を最大化するように計算される ７１２。
【００７０】
一例において、意図された信号のパイロット構造は、干渉信号のパイロット構造とは異なっていてもよく、第１の及び第２のセットのパイロット変調記号は異なっている。したがって、第１の及び第２のセットのパイロット変調記号は、ディスジョイント(disjoint)であってもよく、別個であってもよく、あるいは非オーバラップ(non-overlapping)していてもよい。
【００７１】
第２のデバイスは、対応サブセットの検索された変調記号に計算された１セットの受信係数のそれぞれを適用することによって、複数の受信アンテナに対応しているサブセットの検索された変調記号を組み合わせる  ７１４。そのあとで、意図された信号は、組み合わせられた変調記号から復号される  ７１６。
【００７２】
図８は、共有された周波数スペクトラム上で第２の無線端末とのピアツーピア通信で、ＷＡＮのために時間周波数構造を再使用するように構成されることができる無線端末のブロック図である。無線端末８０２は、処理回路（例、１つまたは複数の回路あるいはプロセッサ）、ピアツーピア通信コントローラ８１２、広域ネットワーク（ＷＡＮ）コントローラ８１０、及び１つまたは２つのアンテナ８０６及び８０８のいずれかに結合されたトランシーバ８１４を含むことができる。トランシーバ８１４は、（無線）送信機と（無線）受信機を含むことができる。無線端末８０２は、ＷＡＮ通信コントローラ８１０を使用して管理されたネットワークインフラストラクチャ(a managed network infrastructure)を介して通信することができ、及び／または、ピアツーピア通信コントローラ８１２を使用してピアツーピアネットワーク上で通信することができる。ピアツーピア通信を行なうとき、無線端末８０２は、図１−７で図示された特徴のうちの１つまたは複数を実行するように構成されることができる。
【００７３】
図９は、共有された周波数スペクトラム上で第２の無線端末とのピアツーピア通信で、ＷＡＮのために時間周波数構造を再使用するように構成された無線送信機デバイスのブロック図である。無線送信機デバイスは、共有された周波数スペクトラム上で信号を受信する受信機９０２を含むことができる。時間周波数構造分割器(time-frequency structure partitioner)９０４は、時間周波数構造を複数のサブセットのトーン記号に分割することができ、時間周波数構造は、複数の直交周波数分割多重化（ＯＦＤＭ）記号を含んでおり、複数のＯＦＤＭ記号のそれぞれは、複数のトーンを含んでおり、トーン記号は、複数のＯＦＤＭ記号のうちの１つの中の１つのトーンである。トーン記号セレクタ(tone-symbol selector)９０６は、複数のサブセットのトーン記号のうちの第１のサブセット(a first subset of the plurality of subsets of tone-symbols)を選択することができる。パイロット生成器９０８は、第２の無線端末における信号回復を容易にするために、複数のサブセットのトーン記号のうちの選択された第１のサブセットにおいて、１セットのパイロット変調記号を生成することができ、第１のデバイスによって使用される選択されたサブセットのトーン記号のそれぞれは、パイロット変調記号を送信するために少なくとも１つのトーン記号を含んでいる。送信機９１０は、そのあとで、複数のサブセットのトーン記号のうちの選択された第１のサブセットを使用して、第２の無線端末に対し信号を送信することができる。タイミングアライナ(timing aligner)９１２は、導出された記号タイミング情報(derived symbol timing information)あるいはタイミング調節リクエスト(timing adjustment request)のうちの少なくとも１つの関数として、無線送信機端末の送信タイミングを調節するように構成されることができる。
【００７４】
図１０は、共有された周波数スペクトラム上で第１の無線端末とのピアツーピア通信で、ＷＡＮのために時間周波数構造を再使用するように構成された無線受信機デバイスのブロック図である。受信機１００２は、ピアツーピア通信ネットワークと無線広域ネットワークとの間で共有されたスペクトラムにおいて、合成信号を受信することができ、合成信号は、第１の無線端末から無線受信機デバイスに送信される意図された信号と、広域ネットワークの第１の無線広域デバイスから第２の無線広域デバイスに送信される干渉信号と、を含んでおり、意図された信号は、複数のＯＦＤＭ記号を含んでおり、複数のＯＦＤＭ記号のそれぞれは、複数のトーンを含んでいる。トーン記号検索器(tone-symbol retriever)１００４は、意図された信号のトーンとＯＦＤＭ記号によって決定される時間周波数構造に基づいて、受信された合成信号から変調記号を検索するように構成されており、１つの変調記号は、１つのトーン記号を検索され、トーン記号は、複数のＯＦＤＭ記号のうちの１つの中の１つのトーンである。記号分割器１００６は、検索された変調記号を複数のサブセットに分割することができ、検索された変調記号サブセットのそれぞれは、時間周波数構造における対応サブセットのトーン記号において検索された変調記号に対応する。干渉計算機(interference calculator)１００８は、検索された変調記号サブセットのそれぞれの干渉強度を決定するように構成されることができる。対応干渉強度がしきい値を超える場合には、検索された変調記号サブセットは廃棄されるということに注意してください。信号デコーダ(signal decoder)１０１０は、残りの検索された変調記号サブセットから、意図された信号を復号することができる。タイミングアライナ１０１２は、干渉信号からタイミング同期化情報を導出し、そして、無線受信端末が、導出されたタイミング同期化情報の関数として後続時間においてその送信タイミングを調節するように第１のデバイスにリクエストすること、を可能にすることができる。
【００７５】
ＯＦＤＭ ＴＤＤシステムのコンテキストで説明されているが、様々な実施形態の方法及び装置は、多くの非ＯＦＤＭ、多くの非ＴＤＤシステム、及び／または、多くの非セルラシステム、を含んでいる広範囲の通信システムに適用可能である。
【００７６】
様々な実施形態において、ここに記載されるノードは、１つまたは複数の方法に対応しているステップ、例えばビーコン信号を生成する、ビーコン信号を送信する、ビーコン信号を受信する、ビーコン信号についてモニタする、受信されたビーコン信号から情報を回復する、タイミング調節を決定する、タイミング調節をインプリメントする、オペレーションのモードを変更する、通信セッションを開始する、等を実行するために、１つまたは複数のモジュールを使用してインプリメントされる。いくつかの実施形態では、様々な特徴はモジュールを使用してインプリメントされる。そのようなモジュールは、ソフトウェア、ハードウェア、あるいは、ソフトウェアとハードウェアの組み合わせ、を使用してインプリメントされることができる。上記で説明された方法あるいは方法のステップの多くは、例えば１つまたは複数のノードで、上記説明された方法のうちすべてあるいは一部をインプリメントするために、機械、例えば追加ハードウェアを備えたあるいは備えていない汎用プロセッサを制御する、メモリデバイス、例ＲＡＭ、フロッピーディスク等のような機械可読媒体に含まれるソフトウェアのような機械実行可能命令を使用して、インプリメントされることができる。したがって、特に、様々な実施形態は、機械、例えばプロセッサ及び関連ハードウェア、に上記説明された方法（単数または複数）のうち１つまたは複数を実行させるための機械実行可能なインストラクション(machine executable instructions)を含んでいる機械可読メディア(machine-readable medium)を対象としている。
【００７７】
上記で説明された方法及び装置に関する多数のさらなる変更は、上記説明の点から当業者にとって明らかであろう。そのような変更は、範囲内で考慮されるべきである。様々な実施形態の方法及び装置は、ＣＤＭＡ、直交周波数分割多重化（ＯＦＤＭ）、及び／または、アクセスノードとモバイルノードとの間で無線通信リンクを提供するために使用されることができる様々な他のタイプの通信技術と一緒に使用されてもよく、また、様々な実施形態において使用されている。いくつかの実施形態では、アクセスノードは、ＯＦＤＭおよび／またはＣＤＭＡを使用してモバイルノードとの通信リンクを確立する基地局としてインプリメントされる。様々な実施形態では、モバイルノードは、ノート型コンピュータ、携帯情報端末(personal data assistants)（ＰＤＡｓ）、あるいは、様々な実施形態の方法をインプリメントするための、受信機／送信機回路と、論理および／またはルーチンを含んでいる他のポータブルデバイス、としてインプリメントされる。
【００７８】
さらなる別の構成によると、１つまたは複数の回路は、モバイルデバイスの中にあってもよく、また、図１−１０で説明されるオペレーション及び／または機能を実行するように適応されることができる。回路（単数または複数）あるいは回路セクションのうちのいずれも、１つまたは複数のプロセッサで、集積回路の一部として、単独であるいは組み合わせでインプリメントされることができる。回路のうち１つまたは複数は、集積回路、発展型ＲＩＳＣ機械(Advance RISC Machine)（ＡＲＭ）プロセッサ、デジタルシグナルプロセッサ（ＤＳＰ）、汎用プロセッサ等上でインプリメントされることができる。
【００７９】
図１、２、３、４、５、６、７、８、９及び／または１０で図示される、コンポーネント、ステップ、及び／または、関数のうちの１つまたは複数は、単独のコンポーネント、ステップあるいは機能に、再配列される及び／または組み合わされてもよく、あるいは、いくつかのコンポーネント、ステップ、あるいは機能で具現化されてもよい。さらなるエレメント、コンポーネント、ステップ、及び／または、機能もまた加えられることができる。図８、９、及び／または１０で図示された装置、デバイス、及び／または、コンポーネントは、図２、３、４、５、６、及び／または、７で記載される方法、特徴、あるいはステップのうち１つまたは複数を実行するように、構成される、あるいは適用されることができる。ここにおいて記載されるアルゴリズムは、ソフトウェアおよび／または埋め込まれたハードウェアにおいて、効率的にインプリメントされることができる。
【００８０】
当業者は、ここに開示された構成に関連して説明される、様々な説明のための論理ブロック、モジュール、回路、及び、アルゴリズムステップは、電子ハードウェア、コンピュータソフトウェア、あるいは、両方の組合せとしてインプリメントされることができる、ということをさらに理解するであろう。このハードウェアとソフトウェアの互換性(interchangeability)を明瞭に説明するために、様々な説明のためのコンポーネント、ブロック、モジュール、回路、及びステップが、それらの機能性という観点から、上記で一般的に説明されてきた。そのような機能性がハードウェアあるいはソフトウェアとしてインプリメントされるかどうかは、特定のアプリケーションと全体のシステムに課された設計制約 (design constraints)に依存する。
【００８１】
ここに記載された様々な特徴は、異なるシステムにおいてインプリメントされることができる。例えば、セカンダリマイクロホンカバー検出器(secondary microphone cover detector)は、別の回路あるいはモジュール上で、単独の回路あるいはモジュールにおいてインプリメントされてもよく、１つまたは複数のプロセッサによって実行されてもよく、機械可読あるいはコンピュータ可読媒体に組み込まれるコンピュータ可読命令によって実行されてもよく、及び／または、ハンドヘルドデバイス、モバイルコンピュータ、及び／または携帯電話(mobile phone)に埋め込まれてもよい。
【００８２】
前述の構成は単なる例で、請求項を限定しているものとして解釈されるべきではないということに注意すべきである。構成の説明は、例(illustrative)であって、請求項の範囲を制限するものではないと意図されている。そのため、本教示は、他のタイプの装置に容易に適用されることができ、そして、多くの代替、修正、変更は、当業者にとって明らかであろう。
下記に出願時請求項１−４０に対応する記載を付記１−４０として表記する。付記１
無線ピアツーピア通信ネットワーク内で第２の無線デバイスと通信している第１の無線デバイスを操作するための方法であって、前記無線ピアツーピア通信ネットワークは、周波数スペクトラムを無線広域ネットワークと共有しており、
時間周波数構造を複数のサブセットのトーン記号に分割することと、なお、前記時間周波数構造は、複数の直交周波数分割多重化（ＯＦＤＭ）記号を含んでおり、前記複数のＯＦＤＭ記号のそれぞれは、複数のトーンを含んでおり、トーン記号は、前記複数のＯＦＤＭ記号のうちの１つの中の１つのトーンである；
第１の複数の前記サブセットのトーン記号を選択することと；
前記複数のサブセットのトーン記号のうちの前記の選択されたサブセットを使用して、前記第２のデバイスに対して信号を送信することと；
を備えている、
方法。付記２
前記時間周波数構造における各サブセットのトーン記号は、互いに非オーバラップしている、付記１に記載の方法。付記３
各サブセットのトーン記号は、前記時間周波数構造においてトーン記号のタイルを含んでおり、トーン記号の前記タイルは、複数の連続ＯＦＤＭ記号のそれぞれにおける連続トーンから成る、付記２に記載の方法。付記４
前記の選択された第１の複数の前記サブセットのトーン記号は、前記送信された信号が前記無線広域ネットワークにおいて送信される第２の信号と完全にオーバラップしないように、選択される、付記１に記載の方法。付記５
前記無線広域ネットワークにおいて送信された信号の電力を測定するために、前記の共有された周波数スペクトラムをモニタすることと、
前記無線広域ネットワークにおいて送信される前記の測定された信号の電力がしきい値より下である、１つまたは複数のサブセットのトーン記号を識別することと、
をさらに備えており、前記第２のデバイスに対して前記信号を送信するために使用される、前記の選択された第１の複数の前記サブセットは、前記の識別されたサブセットから導出される、付記４に記載の方法。付記６
前記無線広域ネットワークで送信された前記第２の信号は、第２の複数の前記サブセットのトーン記号を使用して生成されており、また、前記第２の複数の前記サブセットは、前記第１のデバイスによって使用されるように選択される前記複数のサブセットのトーン記号のうちの前記の選択された第１のサブセットと、完全にオーバラップしない、付記４に記載の方法。付記７
前記第２のデバイスにおける信号回復を容易にするために、前記の選択された第１の複数の前記サブセットのトーン記号において、１セットのパイロット変調記号を送信することと、
をさらに備えており、前記第１のデバイスによって使用される、選択されたサブセットのトーン記号のそれぞれは、前記パイロット変調記号を送信するために少なくとも１つのトーン記号を含んでいる、付記４に記載の方法。付記８
前記第２のデバイスにおける信号回復を容易にするために、前記の選択された第１の複数の前記サブセットのトーン記号において、１セットのトーン記号のいずれの信号も送信することを抑止することと、
をさらに備えており、前記第１のデバイスによって使用される、選択されたサブセットのトーン記号のそれぞれは、信号が送信される予定ではない、少なくとも１つのトーン記号を含んでいる、付記７に記載の方法。付記９
前記無線広域ネットワークにおいて送信される前記第２の信号はまた、１セットのパイロット変調記号を含んでおり、前記無線広域ネットワークの第２の信号によって使用される、サブセットのトーン記号のそれぞれは、前記パイロット変調記号を送信するために少なくとも１つのトーン記号を含んでおり、また、前記無線広域ネットワーク信号の前記パイロットによって使用される前記トーン記号は、前記第２のデバイスによって送信される前記信号の前記パイロットによって使用される前記トーン記号とは異なっている、付記８に記載方法。付記１０
前記無線広域ネットワークにおいて送信された信号の記号タイミング情報を導出するために前記共有されたスペクトラムをモニタすることと、
前記の導出された記号タイミング情報の関数として前記の送信タイミングを調節することと、
をさらに備えている付記１に記載の方法。付記１１
前記第２のデバイスから制御メッセージを受信することと、なお、前記制御メッセージは、タイミング調節リクエストを含んでいる；
前記タイミング調節リクエストの関数として前記送信タイミングを調節することと；
をさらに備えている付記１０に記載の方法。付記１２
前記送信タイミングは、前記第１のデバイスに対して送信された第１の信号の前記ＯＦＤＭ記号が、前記無線広域ネットワークにおいて送信された前記信号の前記ＯＦＤＭ記号とアラインされるように調節される、付記１０に記載の方法。付記１３
無線ピアツーピア通信ネットワーク内で第２のデバイスと通信するように構成された第１のデバイスであって、前記無線ピアツーピア通信ネットワークは、周波数スペクトラムを無線広域ネットワーク（ＷＡＮ）と共有しており、
前記第２のデバイスとの無線ピアツーピア通信接続を確立するための送受信機と、
前記第２のデバイスとの前記ピアツーピア通信接続にわたる通信のために、前記ＷＡＮの時間周波数構造を再使用するように適応された処理回路と、
を備えており、前記処理回路は、
時間周波数構造を複数のサブセットのトーン記号に分割するように、なお前記時間周波数構造は、複数の直交周波数分割多重化（ＯＦＤＭ）記号を含んでおり、前記複数のＯＦＤＭ記号のそれぞれは、複数のトーンを含んでおり、トーン記号は、前記複数のＯＦＤＭ記号のうちの１つの中の１つのトーンである；
第１の複数の前記サブセットのトーン記号を選択するように；
前記複数のサブセットのトーン記号のうちの前記の選択されたサブセットを使用して、前記第２のデバイスに対して信号を送信するように；
構成されている、
第１のデバイス。付記１４
前記時間周波数構造における各サブセットのトーン記号は、互いに非オーバラップしており、各サブセットのトーン記号は、前記時間周波数構造においてトーン記号のタイルを含んでおり、トーン記号の前記タイルは、複数の連続ＯＦＤＭ記号のそれぞれにおける連続トーンから成る、付記１３に記載の第１のデバイス。付記１５
前記の選択された第１の複数の前記サブセットのトーン記号は、前記送信された信号が、前記無線広域ネットワークにおいて送信される信号と少なくとも部分的に非オーバラップするように、選択される、付記１３に記載の第１のデバイス。付記１６
前記処理回路は、
前記無線広域ネットワークにおいて送信された信号の電力を測定するために、前記の共有された周波数スペクトラムをモニタするように、
前記無線広域ネットワークにおいて送信される前記の測定された信号の電力がしきい値より下である、１つまたは複数のサブセットのトーン記号を識別するように、
さらに構成されており、前記第２のデバイスに対して前記信号を送信するために使用される、前記の選択された第１の複数のサブセットは、前記の識別されたサブセットから導出される、付記１５に記載の第１のデバイス。付記１７
無線ピアツーピア通信ネットワーク内で第２のデバイスと通信するように構成された第１のデバイスであって、前記無線ピアツーピア通信ネットワークは、周波数スペクトラムを無線広域ネットワーク（ＷＡＮ）と共有しており、
時間周波数構造を複数のサブセットのトーン記号に分割するための手段と、なお、前記時間周波数構造は、複数の直交周波数分割多重化（ＯＦＤＭ）記号を含んでおり、前記複数のＯＦＤＭ記号のそれぞれは、複数のトーンを含んでおり、トーン記号は、前記複数のＯＦＤＭ記号のうちの１つの中の１つのトーンである；
第１の複数の前記サブセットのトーン記号を選択するための手段と；
前記複数のサブセットのトーン記号のうちの前記の選択されたサブセットを使用して、前記第２のデバイスに対して信号を送信するための手段と；
を備えている第１のデバイス。付記１８
第１のデバイスと第２のデバイスとの間のピアツーピア通信接続にわたる通信のために、広域ネットワーク（ＷＡＮ）の時間周波数構造を再使用するための回路であって、前記無線ピアツーピア通信接続は、周波数スペクトラムを前記ＷＡＮと共有しており、前記回路は、前記第１のデバイスにおいて操作しており、また、前記回路は、前記第１のデバイスにおいて操作しており、
時間周波数構造を複数のサブセットのトーン記号に分割するように、なお、前記時間周波数構造は、複数の直交周波数分割多重化（ＯＦＤＭ）記号を含んでおり、前記複数のＯＦＤＭ記号のそれぞれは、複数のトーンを含んでおり、トーン記号は、前記複数のＯＦＤＭ記号のうちの１つの中の１つのトーンである；
第１の複数の前記サブセットのトーン記号を選択するように；
前記複数のサブセットのトーン記号のうちの前記の選択されたサブセットを使用して、前記第２のデバイスに対して信号を送信するように；
適用されている、
回路。付記１９
第１のデバイスが無線ピアツーピア通信ネットワーク内で第２のデバイスと通信するためのインストラクションを備えている機械可読メディアであって、前記無線ピアツーピア通信ネットワークは、周波数スペクトラムを無線広域ネットワーク（ＷＡＮ）と共有しており、プロセッサによって実行されるときに、前記プロセッサに、
時間周波数構造を複数のサブセットのトーン記号に分割させ、なお前記時間周波数構造は、複数の直交周波数分割多重化（ＯＦＤＭ）記号を含んでおり、前記複数のＯＦＤＭ記号のそれぞれは、複数のトーンを含んでおり、トーン記号は、前記複数のＯＦＤＭ記号のうちの１つの中の１つのトーンである；
第１の複数の前記サブセットのトーン記号を選択させ；
前記複数のサブセットのトーン記号のうちの前記の選択されたサブセットを使用して、前記第２のデバイスに対して信号を送信させる；
機械可読メディア。付記２０
無線ピアツーピア通信ネットワーク内で第１の無線デバイスと通信している第２の無線デバイスを操作するための方法であって、
前記ピアツーピア通信ネットワークと無線広域ネットワークとの間で共有された周波数スペクトラムにおいて合成信号を受信することと、なお、前記合成信号は、前記第１のデバイスから前記第２のデバイスへと送信される意図された信号と、前記広域ネットワークの第１の無線広域デバイスから第２の無線広域デバイスへと送信される干渉信号と、を含んでおり、前記意図された信号は、複数のＯＦＤＭ信号を含んでおり、前記複数のＯＦＤＭ信号のそれぞれは、複数のトーンを含んでいる；
前記意図された信号の前記トーン及びＯＦＤＭ記号によって決定される時間周波数構造に基づいて、前記の受信された合成信号から変調記号を検索することと、なお、１つの変調記号は、１つのトーン記号を検索され、トーン記号は、前記複数のＯＦＤＭ記号のうちの１つの中の１つのトーンである；
前記の検索された変調記号を複数のサブセットに分割することと、なお、前記の検索された変調記号サブセットのそれぞれは、前記時間周波数構造における対応サブセットのトーン記号において検索された前記変調記号に対応する；
前記の検索された変調記号サブセットのそれぞれの前記干渉強度を決定することと；
を備えている方法。付記２１
前記対応する干渉強度がしきい値を超える場合、検索された変調記号サブセットを廃棄することと、
残りの検索された変調記号サブセットから、前記意図された信号を復号することと、
をさらに備えている付記２０に記載の方法。付記２２
前記の検索された変調記号サブセットに対応する、前記時間周波数構造における前記サブセットのトーン記号は、互いに非オーバラップしている、付記２０に記載の方法。付記２３
前記の検索された変調記号サブセットのうちの１つに対応する、サブセットのトーン記号は、前記時間周波数構造においてトーン記号のタイルを含んでおり、トーン記号の前記タイルは、複数の連続ＯＦＤＭ記号のそれぞれにおける連続トーンから成る、付記２２に記載の方法。付記２４
前記干渉信号はまた、複数のＯＦＤＭ記号を含んでおり、前記複数のＯＦＤＭ記号のそれぞれは、複数のトーンを含んでおり、前記意図された信号のＯＦＤＭ記号の前記記号持続時間は、前記干渉信号のＯＦＤＭ記号の前記記号持続時間と実質的には同じであり、前記意図された信号の前記トーンスペーシングは、前記干渉信号の前記トーンスペーシングと実質的には同じである、付記２０に記載の方法。付記２５
前記の検索された変調記号サブセットのそれぞれの中で１セットのパイロット変調記号を識別することと、なお、前記１セットのパイロット変調記号は、前記干渉信号のパイロットトーン記号構造に対応しており、前記干渉信号の前記パイロットトーン記号構造は、固定されており、前記第２のデバイスに知られている；
前記１セットのパイロット変調記号の前記受信電力を測定することと；
をさらに備えており、前記対応する検索された変調記号サブセットの前記干渉強度は、前記１セットのパイロット変調記号の前記の測定された受信電力の関数として決定されている、付記２０に記載の方法。付記２６
前記第２のデバイスは、マルチプル受信アンテナを具備しており、前記方法は、
マルチプル受信アンテナのそれぞれから、前記の受信された合成信号の１セットの変調記号を検索することと；
各セットの検索された変調記号を複数のサブセットに分割することと、なお、各サブセットは、前記対応する受信アンテナから前記時間周波数構造における対応サブセットのトーン記号において検索された前記変調記号に対応する；
各受信アンテナに対応している第１のセットのパイロット変調記号を識別することと、なお、前記第１のセットのパイロット変調記号は、前記干渉信号のパイロットトーン記号構造に対応する；
前記マルチプル受信アンテナにおいて受信される前記第１のセットのパイロット変調記号の関数として１セットの受信係数を計算することと、なお、それぞれの係数は、前記マルチプル受信アンテナのうちの１つに対応する；
前記マルチプル受信アンテナに対応している前記サブセットの検索された変調記号を、前記の計算された１セットの受信係数のそれぞれを前記対応するサブセットの検索された変調記号に適用することによって、組み合わせることと；
前記の組み合わせられた変調記号から、前記意図された信号を復号することと；
をさらに備えている、付記２５に記載の方法。付記２７
前記１セットの受信係数は、前記の組み合わせられた変調記号において前記干渉信号の残りの電力を最小にするように計算される、付記２６に記載の方法。付記２８
各受信アンテナに対応している第２のセットのパイロット変調記号を識別することと、なお、前記第２のセットのパイロット変調記号は、前記意図された信号のパイロットトーン記号構造に対応する；
をさらに備えており、前記１セットの受信係数は、前記マルチプル受信アンテナにおいて受信された前記第２のセットのパイロット変調記号の関数としても決定され、前記１セットの受信係数は、前記の組み合わせられた変調記号において信号対干渉比を最大化するように計算される、付記２６に記載の方法。付記２９
前記意図された信号の前記パイロット構造は、前記干渉信号の前記パイロット構造とは異なっており、前記第１の及び第２のセットのパイロット変調記号は異なっている、付記２８に記載の方法。付記３０
前記第１の及び第２のセットのパイロット変調記号は、非オーバラップである、付記２９に記載の方法。付記３１
前記干渉信号から、前記タイミング同期化情報を導出することと、
前記第１のデバイスに、前記の導出されたタイミング同期化情報の関数として後続時間において前記送信タイミングを調節するように、リクエストすることと、
をさらに備えている、付記２４に記載の方法。付記３２
前記送信タイミングは、前記第１のデバイスからの前記意図された信号の前記ＯＦＤＭ記号が前記干渉信号の前記ＯＦＤＭ記号とアラインされるように調節されることをリクエストされる、付記３１に記載の方法。付記３３
前記第１の無線広域デバイスは、無線アクセス端末であり、前記第２の無線広域デバイスは、基地局である、付記３０に記載の方法。付記３４
前記第２の無線広域デバイスは、無線アクセス端末であり、前記第１の無線広域デバイスは、基地局である、付記３０に記載の方法。付記３５
無線ピアツーピア通信ネットワーク内で第１のデバイスと通信するように構成された第２のデバイスであって、
前記第２のデバイスとの無線ピアツーピア通信接続を確立するための送受信機と、
前記第２のデバイスとの前記ピアツーピア通信接続にわたる通信のために、前記ＷＡＮの時間周波数構造を再使用するように適応された処理回路と、
を備えており、前記処理回路は、
前記ピアツーピア通信ネットワークと無線広域ネットワークとの間で共有された周波数スペクトラムにおいて合成信号を受信するように、なお、前記合成信号は、前記第１のデバイスから前記第２のデバイスへと送信される意図された信号と、前記広域ネットワークの第１の無線広域デバイスから第２の無線広域デバイスへと送信される干渉信号と、を含んでおり、前記意図された信号は、複数のＯＦＤＭ信号を含んでおり、前記複数のＯＦＤＭ信号のそれぞれは、複数のトーンを含んでいる；
前記意図された信号の前記トーン及びＯＦＤＭ記号によって決定される時間周波数構造に基づいて、前記の受信された合成信号から変調記号を検索するように、なお、１つの変調記号は、１つのトーン記号を検索され、トーン記号は、前記複数のＯＦＤＭ記号のうちの１つの中の１つのトーンである；
前記の検索された変調記号を複数のサブセットに分割するように、なお、前記の検索された変調記号サブセットのそれぞれは、前記時間周波数構造における対応サブセットのトーン記号において検索された前記変調記号に対応する；
前記の検索された変調記号サブセットのそれぞれの前記干渉強度を決定するように；
構成されている、
第２のデバイス。付記３６
前記処理回路は、
前記対応干渉強度がしきい値を超える場合には検索された変調記号サブセットを廃棄し、
残りの検索された変調記号サブセットから、前記意図された信号を復号するように、
さらに構成される、付記３５に記載の第２のデバイス。付記３７
複数の受信アンテナ、をさらに備えており、前記処理回路は、
マルチプル受信アンテナのそれぞれから、前記の受信された合成信号の１セットの変調記号を検索するように；
各セットの検索された変調記号を複数のサブセットに分割するように、なお、各サブセットは、前記対応する受信アンテナから前記時間周波数構造における対応サブセットのトーン記号において検索された前記変調記号に対応する；
各受信アンテナに対応している第１のセットのパイロット変調記号を識別するように、なお、前記第１のセットのパイロット変調記号は、前記干渉信号のパイロットトーン記号構造に対応する；
前記マルチプル受信アンテナにおいて受信される前記第１のセットのパイロット変調記号の関数として前記１セットの受信係数を計算するように、なお、それぞれの受信係数は、前記マルチプル受信アンテナのうちの１つに対応している；
前記マルチプル受信アンテナに対応している前記サブセットの検索された変調記号を、前記の計算された１セットの受信係数のそれぞれを前記対応するサブセットの検索された変調記号に適用することによって、組み合わせるように；
前記の組み合わせられた変調記号から、前記意図された信号を復号するように；
さらに構成されている、付記３５に記載の第２のデバイス。付記３８
無線ピアツーピア通信ネットワーク内で第１のデバイスと通信するように構成された第２のデバイスであって、
前記ピアツーピア通信ネットワークと無線広域ネットワークとの間で共有された周波数スペクトラムにおいて合成信号を受信するための手段と、なお、前記合成信号は、前記第１のデバイスから前記第２のデバイスへと送信される意図された信号と、前記広域ネットワークの第１の無線広域デバイスから第２の無線広域デバイスへと送信される干渉信号と、含んでおり、前記意図された信号は、複数のＯＦＤＭ信号を含んでおり、前記複数のＯＦＤＭ信号のそれぞれは、複数のトーンを含んでいる；
前記意図された信号の前記トーン及びＯＦＤＭ記号によって決定される時間周波数構造に基づいて、前記の受信された合成信号から変調記号を検索するための手段と、なお、１つの変調記号は、１つのトーン記号を検索され、トーン記号は、前記複数のＯＦＤＭ記号のうちの１つの中の１つのトーンである；
前記の検索された変調記号を複数のサブセットに分割するための手段と、なお、前記の検索された変調記号サブセットのそれぞれは、前記時間周波数構造における対応サブセットのトーン記号において検索された前記変調記号に対応する；
前記の検索された変調記号サブセットのそれぞれの前記干渉強度を決定するための手段と；
を備えている、第２のデバイス。付記３９
第１のデバイスと第２のデバイスとの間のピアツーピア通信接続にわたる通信のために、広域ネットワーク（ＷＡＮ）の時間周波数構造を再使用するための回路であって、前記回路は、前記第２のデバイスにおいて動作されており、そして、
前記ピアツーピア通信ネットワークと無線広域ネットワークとの間で共有された周波数スペクトラムにおいて合成信号を受信するように、なお、前記合成信号は、前記第１のデバイスから前記第２のデバイスへと送信される意図された信号と、前記広域ネットワークの第１の無線広域デバイスから第２の無線広域デバイスへと送信される干渉信号と、を含んでおり、前記意図された信号は、複数のＯＦＤＭ信号を含んでおり、前記複数のＯＦＤＭ信号のそれぞれは、複数のトーンを含んでいる；
前記意図された信号の前記トーン及びＯＦＤＭ記号によって決定される時間周波数構造に基づいて、前記意図された信号の前記の受信された合成信号から変調記号を検索するように、なお、１つの変調記号は、１つのトーン記号を検索され、トーン記号は、前記複数のＯＦＤＭ記号のうちの１つの中の１つのトーンである；
前記の検索された変調記号を複数のサブセットに分割するように、なお、前記の検索された変調記号サブセットのそれぞれは、前記時間周波数構造における対応サブセットのトーン記号において検索された前記変調記号に対応する；
前記の検索された変調記号サブセットのそれぞれの前記干渉強度を決定するように；
適応されている、
回路。付記４０
第２のデバイスが無線ピアツーピア通信ネットワーク内で第１のデバイスと通信するためのインストラクションを備えている機械可読メディアであって、プロセッサによって実施されるとき、前記プロセッサに、
前記ピアツーピア通信ネットワークと無線広域ネットワークとの間で共有された周波数スペクトラムにおいて合成信号を受信させ、なお、前記合成信号は、前記第１のデバイスから前記第２のデバイスへと送信される意図された信号と、前記広域ネットワークの第１の無線広域デバイスから第２の無線広域デバイスへと送信される干渉信号と、を含んでおり、前記意図された信号は、複数のＯＦＤＭ信号を含んでおり、前記複数のＯＦＤＭ信号のそれぞれは、複数のトーンを含んでいる；
前記意図された信号の前記トーン及びＯＦＤＭ記号によって決定される時間周波数構造に基づいて、前記受信された合成信号から変調記号を検索させ、なお、１つの変調記号は、１つのトーン記号を検索され、トーン記号は、前記複数のＯＦＤＭ記号のうちの１つの中の１つのトーンである；
前記の検索された変調記号を複数のサブセットに分割させ、なお、前記の検索された変調記号サブセットのそれぞれは、前記時間周波数構造における対応サブセットのトーン記号において検索された前記変調記号に対応する；
前記の検索された変調記号サブセットのそれぞれの前記干渉強度を決定させる；
インストラクション、
を備えている機械可読メディア。
【誤訳訂正２】
【訂正対象書類名】図面
【訂正対象項目名】図７
【訂正方法】変更
【訂正の内容】
【図７】
2013138433.tif 000001